(57)【要約】  【課題】楽曲ファイルに付与されているタグ情報を用いて簡単な操作で楽曲ファイルを選択できるオーディオ信号再生装置を提供する。  【解決手段】ＣＰＵ１０７は、楽曲ファイルに付与されているタグ情報の文字による検索を特定のキー操作（スキップアップキー、スキップダウンキー）に割り当てる。そして、楽曲ファイルに付与されているタグ情報がひらがな、カタカナ、漢字、アルファベットである場合に、特定のキー操作により指定された文字を有するタグ情報にスキップして、当該タグ情報が付与されている楽曲ファイルを選択する。【選択図】図２
2007287309.tif 000002
【特許請求の範囲】
【請求項１】
文字列でなるタグ情報が付与されたオーディオデータが複数記録された記録媒体から、再生対象のオーディオデータを読み込んで再生するオーディオ信号再生装置であって、
タグ情報を表示する表示部、ユーザからキー入力を受け付ける操作受付部、および演算部を有し、
前記演算部は、
前記記録媒体から各オーディオデータに付与されたタグ情報を取得し、該取得した各タグ情報を再生候補のオーディオデータのタグ情報とする処理と、
再生候補のオーディオデータのタグ情報を前記表示部に表示する処理と、
前記操作受付部を介してユーザから受け付けた第１のキー入力に従い、前記表示部に表示中のタグ情報の文字列から任意の文字を選択し、再生候補のオーディオデータを当該選択した文字を含むタグ情報を持つオーディオデータに絞り込む処理と、
前記操作受付部を介してユーザから受け付けた第２のキー入力に従い、前記表示部に表示する再生候補のオーディオデータのタグ情報を切り替える処理と、
前記操作受付部を介してユーザから受け付けた第３のキー入力に従い、前記表示部に表示中のタグ情報を持つオーディオデータを再生対象のオーディオデータに決定する処理と、
を行うこと
を特徴とするオーディオ信号再生装置。
【請求項２】
請求項１に記載のオーディオ信号再生装置であって、
前記操作受付部は、
スキップキーおよびプレイキーを有し、
前記演算部は、
ユーザが前記スキップキーを所定時間以上継続して選択する「長押し」を行った場合に、前記第１のキー入力が行われたものと判断し、前記表示部に表示中のタグ情報の文字列から選択する文字を一つ移動し、
ユーザが前記スキップキーを所定時間未満継続して選択する「短押し」を行った場合に、前記第２のキー入力が行われたものと判断し、前記表示部に表示する再生候補のオーディオデータのタグ情報を次の再生候補のオーディオデータのタグ情報に切り替え、
ユーザが前記プレイキーを選択した場合に、前記第３のキー入力が行われたものと判断し、前記表示部に表示中のタグ情報を持つオーディオデータを再生対象のオーディオデータに決定すること
を特徴とするオーディオ信号再生装置。
【請求項３】
文字列でなるタグ情報が付与されたオーディオデータが複数記録された記録媒体から、再生対象のオーディオデータを読み込んで再生するオーディオ信号再生方法であって、
前記記録媒体から各オーディオデータに付与されたタグ情報を取得し、該取得した各タグ情報を再生候補のオーディオデータのタグ情報とするステップと、
再生候補のオーディオデータのタグ情報を表示するステップと、
ユーザから受け付けた第１のキー入力操作に従い、表示中のタグ情報の文字列から任意の文字を選択し、再生候補のオーディオデータを当該選択した文字を含むタグ情報を持つオーディオデータに絞り込むステップと、
ユーザから受け付けた第２のキー入力操作に従い、表示する再生候補のオーディオデータのタグ情報を切り替えるステップと、
ユーザから受け付けた第３のキー入力操作に従い、表示中のタグ情報を持つオーディオデータを再生対象のオーディオデータに決定するステップと、
から構成されること
を特徴とするオーディオ信号再生方法。
【請求項４】
請求項３に記載のオーディオ信号再生方法であって、
前記キー入力操作は、スキップキーおよびプレイキーによって行われ、
ユーザが前記スキップキーを所定時間以上継続して選択する「長押し」を行った場合に、前記第１のキー入力が行われたものと判断し、前記表示部に表示中のタグ情報の文字列から選択する文字を一つ移動し、
ユーザが前記スキップキーを所定時間未満継続して選択する「短押し」を行った場合に、前記第２のキー入力が行われたものと判断し、前記表示部に表示する再生候補のオーディオデータのタグ情報を次の再生候補のオーディオデータのタグ情報に切り替え、
ユーザが前記プレイキーを選択した場合に、前記第３のキー入力が行われたものと判断し、前記表示部に表示中のタグ情報を持つオーディオデータを再生対象のオーディオデータに決定すること
を特徴とするオーディオ信号再生方法。
【発明の詳細な説明】
【技術分野】
【０００１】
本発明は、オーディオ信号再生装置に関し、特にＭＰ３、ＷＭＡ等の音声圧縮技術を用いて、ＣＤ等の記録媒体上に記録された多数の楽曲を再生するオーディオ信号再生装置及びオーディオ信号再生方法に関する。
【背景技術】
【０００２】
近年、デジタル技術の発達に伴い、ＣＤ（Compact Disc）等の記録媒体（メディア）に記録されているデジタルオーディオデータを再生する、ＣＤプレーヤ等のオーディオ信号再生装置が普及している。デジタルオーディオデータのフォーマットには、ＣＤＤＡ（Compact Disc Digital Audio)等の非圧縮オーディオデータ、およびＭＰ３（ＭＰＥＧ（Moving Picture Experts Group）-１ Audio Layer 3）、ＷＭＡ（Windows(登録商標) Media Audio）等の規格に準拠して圧縮された圧縮オーディオデータがある。最近では、非圧縮オーディオデータ、およびＭＰ３、ＷＭＡ等の規格に準拠して圧縮された圧縮オーディオデータの両方を再生可能なＣＤプレーヤもある（特許文献１）。
【０００３】
また、圧縮オーディオデータには、音楽データ領域以外のデータ領域にタイトル名、アーティスト名、およびアルバム名等の付属文字情報を記録することができる。この付属文字情報は、ＭＰ３ではＩＤ３タグ、ＷＭＡではメタタグと呼ばれている(以後まとめて「タグ情報」と記述する）。
【０００４】
【特許文献１】特開２００２−７４９１１号公報
【発明の開示】
【発明が解決しようとする課題】
【０００５】
ＭＰ３、ＷＭＡ等の圧縮オーディオデータは、元のオーディオデータに対して容量を１０分の１程度にまで低減できる。また、元のオーディオデータを再生した場合と同等の良好な音質が得られる。したがって、圧縮オーディオデータを利用することで、１枚のメディア（ディスク）により多くの楽曲を収納することができる。
【０００６】
しかし、１枚のメディアに多数の収納が収容されると、メディアに収納された楽曲の中から所望の楽曲を選択することが困難になる。パッケージ販売されているＣＤ等のメディアであれば、付属のライナーノーツで所望の楽曲のトラックナンバを確認し、リモコンのテンキー等を用いてこのトラックナンバを直接入力することにより選曲することも可能である。しかし、ＭＰ３、ＷＭＡ等の圧縮オーディオデータは、通常、ユーザが私的使用のために、ＰＣ（Personal Computer）等にインストールされた既存の変換ソフトを使用して、ＣＤ等のメディアに記録された楽曲データをエンコードすることで作成する。そして、このようにして作成した圧縮オーディオデータを、例えばＣＤ-Ｒ（Compact Disc Recordable）等のメディアに書き込む。この場合、パッケージ販売されているＣＤ等のメディアと異なり、ユーザ自らがライナーノート等を作成しない限り、どの楽曲がどのトラックに入っているのかが分からない。したがって、リモコンのテンキー等を用いてトラックナンバを直接入力することにより選曲することは困難である。
【０００７】
また、特許文献１に記載の技術のように、ＭＰ３、ＷＭＡ等の圧縮オーディオデータでなる楽曲ファイルが多数記録されたメディアにおいて、楽曲ファイルにタグ情報として付与されているタイトル名を直接入力することで、該メディアから再生する楽曲ファイルを選択する方法もある。この場合、ＣＤプレーヤ、携帯型オーディオプレーヤ等に備わっている矢印キーおよびエンター（確定）キーを用いて、タイトル名を全て入力して楽曲ファイルを選択する。あるいは、タイトル名の先頭文字が同じ複数の楽曲ファイルの中から矢印キーにより１曲ずつ変更して楽曲ファイルを選択する。しかし、これでは、多数の楽曲がメディアに記録されている場合、矢印キーおよびエンターキーを押す回数が多くなり、操作が煩雑になる。
【０００８】
本発明は、上記のような問題点に鑑みてなされたものであり、楽曲ファイルに付与されているタグ情報を用いて簡単な操作で楽曲ファイルを選択できるオーディオ信号再生装置及びオーディオ信号再生方法を提供することを目的とする。
【課題を解決するための手段】
【０００９】
上記課題を解決するために、本発明では、楽曲ファイルに付与されているタグ情報（タイトル名、アーティスト名、アルバム名等）の文字による検索を特定のキー操作に割り当てる。そして、楽曲ファイルに付与されているタグ情報がひらがな、カタカナ、漢字、アルファベットである場合に、特定のキー操作により指定された文字を有するタグ情報にスキップして、当該タグ情報が付与されている楽曲ファイルを選択する。
【００１０】
例えば、本発明のオーディオ信号再生装置は、文字列でなるタグ情報が付与されたオーディオデータが複数記録された記録媒体から、再生対象のオーディオデータを読み込んで再生するオーディオ信号再生装置であって、タグ情報を表示する表示部、ユーザからキー入力を受け付る操作受付部、および演算部を有し、前記演算部は、前記記録媒体から各オーディオデータに付与されたタグ情報を取得し、該取得した各タグ情報を再生候補のオーディオデータのタグ情報とする処理と、再生候補のオーディオデータのタグ情報を前記表示部に表示する処理と、前記操作受付部を介してユーザから受け付けた第１のキー入力に従い、前記表示部に表示中のタグ情報の文字列から任意の文字を選択し、再生候補のオーディオデータを当該選択した文字を含むタグ情報を持つオーディオデータに絞り込む処理と、前記操作受付部を介してユーザから受け付けた第２のキー入力に従い、前記表示部に表示する再生候補のオーディオデータのタグ情報を切り替える処理と、前記操作受付部を介してユーザから受け付けた第３のキー入力に従い、前記表示部に表示中のタグ情報を持つオーディオデータを再生対象のオーディオデータに決定する処理と、行う。
【００１１】
また、例えば、本発明のオーディオ信号再生方法は、文字列でなるタグ情報が付与されたオーディオデータが複数記録された記録媒体から、再生対象のオーディオデータを読み込んで再生するオーディオ信号再生方法であって、前記記録媒体から各オーディオデータに付与されたタグ情報を取得し、該取得した各タグ情報を再生候補のオーディオデータのタグ情報とするステップと、再生候補のオーディオデータのタグ情報を表示するステップと、ユーザから受け付けた第１のキー入力操作に従い、表示中のタグ情報の文字列から任意の文字を選択し、再生候補のオーディオデータを当該選択した文字を含むタグ情報を持つオーディオデータに絞り込むステップと、ユーザから受け付けた第２のキー入力操作に従い、表示する再生候補のオーディオデータのタグ情報を切り替えるステップと、ユーザから受け付けた第３のキー入力操作に従い、表示中のタグ情報を持つオーディオデータを再生対象のオーディオデータに決定するステップと、から構成される。
【発明の効果】
【００１２】
本発明によれば、ＭＰ３、ＷＭＡ等の音声圧縮技術を用いて多数の楽曲が記録された記録媒体から、圧縮された楽曲内のタグ情報を用いて楽曲を指定することができ、また、単純な操作により楽曲を選択することができるオーディオ信号再生装置及びオーディオ信号再生方法を提供することができる。
【発明を実施するための最良の形態】
【００１３】
（第１の実施の形態）
以下に、本発明の実施の形態について説明する。
【００１４】
図１は本発明の実施形態であるオーディオ信号再生装置の概略構成図である。
【００１５】
本実施形態のオーディオ信号再生装置は、いわゆるレッドブック（フィリップス（株）およびソニー（株）が発行するＣＤ関連規格書の俗称、カラーブックの第一弾）に準拠したＣＤ、あるいはレッドブックに準拠していないＣＣＣＤ（Copy Control CD）等のオーディオデータと、そのオーディオデータの種類（例えばフォーマット）を示すコントロールビット（識別情報）を含むＴＯＣ（Table Of Contents）情報（管理情報）等を、光ディスク１０１から読み出し、そのＴＯＣ情報等に従ってオーディオデータを再生する。
【００１６】
図１に示すように、本実施形態のオーディオ信号再生装置は、スピンドルモータ１０２と、ピックアップ部１０３と、ＲＦ（Radio Frequency）アンプ１０４と、サーボＤＳＰ（Digital Signal Processor）部１０５と、モータドライバ１０６と、ＣＰＵ（Central Processing Unit）１０７よ、再生処理部１０８と、ＤＡＣ（Digital Analog Converter）１０９と、アンプ１１０と、スピーカ１１１と、プレイキー、スキップアップキー、およびスキップダウンキーを少なくとも備える操作兼表示部１１２と、を有する。
【００１７】
スピンドルモータ１０２は、モータドライバ１０６により制御され、光ディスク１０１をＣＬＶ（Constant Linear Velocity）またはＣＡＶ（Constant Angular Velocity）で回転駆動する。
【００１８】
ピックアップ部１０３は、モータドライバ１０６により制御され、光ディスク１０１に記録されているデータを読み出す。すなわち、ピックアップ部１０３は、レーザ光を集光して光ディスク１０１に照射する。そして、ピックアップ部１０３は、光ディスク１０１からの反射光を受光して光電変換し、その結果得られる電気信号をＲＦアンプ１０４に供給する。
【００１９】
ＲＦアンプ１０４は、ピックアップ部１０３から供給される信号に基づいて、フォーカス誤差信号、トラッキング誤差信号、およびＲＦ信号を生成し、トラッキング誤差信号およびフォーカス誤差信号をサーボＤＳＰ部１０５に供給するとともに、ＲＦ信号を２値化して、再生処理部１０８に供給する。
【００２０】
サーボＤＳＰ部１０５は、フォーカスサーボ動作およびトラッキングサーボ動作の制御を行う。具体的には、サーボＤＳＰ部１０５は、ＲＦアンプ１０４から供給されるフォーカス誤差信号およびトラッキング誤差信号に基づいて、フォーカスサーボ信号およびトラッキングサーボ信号をそれぞれ生成し、モータドライバ１０６に供給する。また、サーボＤＳＰ部１０５は、ＣＰＵ１０７からの命令に従い、ピックアップ部１０３の位置を制御する位置制御信号を、モータドライバ１０６に供給する。さらに、サーボＤＳＰ部１０５は、スピンドルモータ１０２を駆動するスピンドルモータ駆動信号を生成して、モータドライバ１０６に供給する。
【００２１】
モータドライバ１０６は、サーボＤＳＰ部１０５から供給されるフォーカスサーボ信号、トラッキングサーボ信号、および位置制御信号に基づいて、ピックアップ部１０３を制御し、これによりピックアップ部１０３のレーザ光の照射位置を制御する。また、モータドライバ１０６は、サーボＤＳＰ部１０５から供給されるスピンドルモータ駆動信号に基づいて、スピンドルモータ１０２を制御し、これによりスピンドルモータ１０２を回転駆動させる。
【００２２】
ＣＰＵ１０７は、メモリ（図示せず）に記憶されたプログラムを実行することで、各種の処理を行う。例えば、操作兼表示部１１２を介して受け付けたユーザのキー入力に従い、サーボＤＳＰ部１０５を制御し、ピックアップ部１０３に、光ディスク１０１に記録されているデータを読み出させる。すなわち、ＣＰＵ１０７は、サーボＤＳＰ部１０５およびモータドライバ１０６を介して、スピンドルモータ１０２を駆動し、これにより光ディスク１０１を回転させる。また、ＣＰＵ１０５は、サーボＤＳＰ部１０５およびモータドライバ１０６を介してピックアップ部１０３を制御し、これによりピックアップ部１０３を光ディスク１０１の所定の位置にアクセスさせ、その位置に記録されているデータを読み出させる。さらに、ＣＰＵ１０７は、再生処理部１０８から供給されるＴＯＣ情報を用いて、光ディスク１０１に記録されているオーディオデータの種類（例えばフォーマット）を判定し、その判定結果に基づいて再生処理部１０８の再生処理を制御する。
【００２３】
再生処理部１０８は、ＲＦアンプ１０４から供給されるＲＦ信号からＴＯＣ情報を取得して、ＣＰＵ１０７に供給する。また、再生処理部１０８は、ＣＰＵ１０７の命令に従い、ＲＦアンプ１０４から供給されるＲＦ信号に対して再生処理を施す。すなわち、再生処理部１０８は、ＲＦアンプ１０４から供給されるＲＦ信号に対して、例えばフレーム同期信号の検出、サブコーディングの検出、ＥＦＭ（Eight to Fourteen Modulation）復調、誤り検出/訂正等のＣＤＤＡのオーディオデータを再生する再生処理を施して、処理結果をＤＡＣ１０９に出力する。また、再生処理部１０８は、ＭＰ３、ＷＭＡ等の音声圧縮技術の規格に準拠したデコードを行うデコード部１０８Ａを内蔵しており、ＲＦアンプ１０４から供給されるＲＦ信号を、デコード部１０８Ａにデコードさせる等の圧縮オーディオデータの再生処理を行い、その再生処理の結果得られるオーディオデータを、ＤＡＣ１０９に出力する。デコード部１０８Ａは、再生処理部１０８に供給されるＲＦ信号を、必要に応じてデコードする。
【００２４】
ＤＡＣ１０９は、再生処理部１０８から供給されるオーディオデータを、デジタル信号からアナログ信号に変換して、アンプ１１０に供給する。アンプ１１０は、ＤＡＣ１０９から供給されるアナログのオーディオ信号を増幅し、スピーカ１１１に供給してオーディオ出力させる。
【００２５】
上記構成のオーディオ信号再生装置において、光ディスク１０１に記録されているデータは、光ピックアップ部１０３によりＲＦ信号の形で読み出され、ＲＦアンプ１０４を介して再生処理部１０８に供給される。再生処理部１０８は、このＲＦ信号からＴＯＣ情報を得て、ＣＰＵ１０７に供給する。
【００２６】
ＣＰＵ１０７は、再生処理部１０８から供給されるＴＯＣ情報に基づき、光ディスク１０１に記録されているオーディオデータがＭＰ３、ＷＭＡ等の圧縮オーディオデータであるか、それともＣＤＤＡ等の非圧縮オーディオデータであるかを判定する。そして、その判定結果に基づき、再生処理部１０８の再生処理を制御する。
【００２７】
再生処理部１０８は、ＣＰＵ１０７による制御の下、ＲＦアンプ１０４より供給されるＲＦ信号からオーディオデータを再生する再生処理を行う。再生処理部１０８による再生処理の結果得られるオーディオデータは、ＤＡＣ１０９およびアンプ１１０を介してスピーカ１１１に供給されてオーディオ出力される。
【００２８】
次に、本実施形態に係るオーディオ信号再生装置の楽曲ファイル選択処理を説明する。
【００２９】
図２は図１に示すオーディオ信号再生装置の楽曲ファイル選択処理を説明するためのフロー図である。
【００３０】
本実施形態の楽曲ファイル選択処理では、操作部兼表示部１１２が備えるプレイキー、スキップアップキー、およびスキップダウンキーの３種類のキーだけを用いる。なお、以下では、キーを所定時間（例えば１秒）以上押し続けた状態を「長押し」、この所定時間未満で離した場合を「短押し」として説明する。ここで、スキップアップキーとは、例えばＡ、Ｂ、Ｃ、Ｄ、・・・のように、昇順で選択位置が移動するキーである。また、スキップダウンキーとは、例えばＸ、Ｙ、Ｘ、Ｗ、・・・のように、降順で選択位置が移動するキーである。
【００３１】
また、本実施形態において、楽曲ファイルとは、１トラック分のオーディオデータを示す。楽曲ファイルには、付属情報としてＩＤ３タグ情報が格納されている、ＩＤ３タグ情報には、アーティスト名、タイトル名、アルバム名、ジャンル名等の情報が格納されている。本実施形態の楽曲ファイル選択処理では、楽曲ファイルの選択に用いるタグ名として「アーティスト名」を用いている。しかし、本発明はこれに限定されない。「タイトル名」などのその他のＩＤ３タグ情報をタグ名として楽曲ファイルを選択してもよい。
【００３２】
ＣＰＵ１０７は、再生処理部１０８から供給されるＴＯＣ情報に従い、サーボＤＳＰ部１０５およびモータドライバ１０６を制御して、記録ディスク１０１に記録されている各楽曲ファイルにアクセスする。そして、ＲＦアンプ１０および再生処理部１０８（デコード部１０８Ａ）を介して各楽曲ファイルからタグ名を取得する。図２に示すフローは、この状態で開始される。
【００３３】
先ず、ＣＰＵ１０７は、カウンタ値「ｎ」を初期値（＝０）に設定する（Ｓ２０１）。
【００３４】
次に、ＣＰＵ１０７は、図２のフローに先立って予め取得した楽曲ファイルのタグ名、もしくは、後述するＳ２１２の処理により再生候補の楽曲ファイルがリストアップされているならばそのリストアップされた楽曲ファイルのタグ名の中から、任意のタグ名（例えばトラック番号が最も小さい楽曲ファイルのタグ名）を操作兼表示部１１２に表示する（Ｓ２０２）。なお、後述するＳ２０５の処理により再生候補のタグ名の選択が行われていない場合は、楽曲ファイルのタグ名の代わりに、所定の文字列（例えばアルファベットを順番に並べた文字列）をタグ名として表示してもよい。
【００３５】
次に、ＣＰＵ１０７は、操作兼表示部１１２に対するユーザの操作を監視して、ユーザによるスキップアップキーまたはスキップダウンキーの「短押し」を検出する（Ｓ２０３）。検出できた場合は、カウンタ値「ｎ」を初期値（＝０）に戻し（Ｓ２０４）、操作兼表示部１１２に表示するタグ名（リストアップした楽曲ファイルのタグ名）をトラック番号順に一つスキップアップあるいはスキップダウンし（Ｓ２０５）、それから、Ｓ２０３に戻る。一方、検出できなかった場合はＳ２０６に進む。
【００３６】
Ｓ２０６において、ＣＰＵ１０７は、操作兼表示部１１２に対するユーザの操作を監視して、ユーザによるスキップアップキーまたはスキップダウンキーの「長押し」を検出する。検出できなかった場合は、Ｓ２０９に進む。一方、検出できた場合は、カウンタ値「ｎ」を一つインクリメント（＝ｎ+１：スキップアップキーの「長押し」の場合）あるいはデクリメント（＝ｎ-１：スキップダウンキーの「長押し」の場合）する（Ｓ２０７）。それから、ＣＰＵ１０７は、操作兼表示部１１２の表示中のタグ名のカウンタ値「ｎ」番目の文字を点滅させ（Ｓ２０８）、その後、Ｓ２０２に戻る。
【００３７】
Ｓ２０９において、ＣＰＵ１０７は、操作兼表示部１１２に対するユーザの操作を監視して、ユーザによるプレイキーの操作を検出する。検出できなかった場合は、Ｓ２１１に進む。一方、検出できた場合は、操作兼表示部１１２に表示中のタグ名を持つ楽曲ファイルを再生対象に確定する（Ｓ２１０）。そして、ＣＰＵ１０７は、オーディオ信号再生装置の各部を制御し、再生対象の楽曲ファイルの再生を開始する。
【００３８】
Ｓ２１１において、ＣＰＵ１０７は、操作兼表示部１１２に対するユーザの操作を監視して、スキップアップキー、スキップダウンキー、およびプレイヤキーの無操作状態が所定時間（例えば３秒）継続したか否かを判断する。継続していない場合はＳ２０３に戻る。一方、継続した場合は、図２のフローに先立って予め取得した楽曲ファイルのタグ名、あるいは、前回行ったＳ２１２の処理により再生候補の楽曲ファイルがリストアップされているならばそのリストアップされた楽曲ファイルのタグ名の中から、操作兼表示部１１２で点滅中の文字を有するタグ名を検索し、検索したタグ名を持つ楽曲ファイルを再生候補の楽曲ファイルにリストアップする（Ｓ２１２）。その後、Ｓ２０２に戻る。
【００３９】
（実施例１）
光ディスク１０１の１番目のトラックにタグ名「Alexander」の楽曲ファイルが記録され、２番目のトラックにタグ名「Carolina」の楽曲ファイルが記録され、３番目のトラックにタグ名「Bobby」の楽曲ファイルが記録され、４番目のトラックにタグ名「Cindy」の楽曲ファイルが記録され、そして、５番目のトラックにタグ名「Clare」の楽曲ファイルが記録されている場合において、タグ名「Clare」の楽曲ファイルを選択する場合を例にとり、上記の楽曲ファイル選択処理を具体的に説明する。図３に表示例等を示す。
【００４０】
操作兼表示部１１２には、タグ名「Alexander」が表示されているものとする（Ｓ２０２）。この状態で、ユーザがスキップアップキーの「短押し」を１回行うと（Ｓ２０３）、操作兼表示部１１２に表示中のタグ名が１番目のトラック「Alexander」から２番目のトラック「Carolina」に切り替わる（Ｓ２０５）。次に、ユーザがスキップアップキーの「長押し」を１回行うと（Ｓ２０６）、操作兼表示部１１２に表示中のタグ名「Carolina」の１番目の文字「C」が点滅する（Ｓ２０８）。この状態で、スキップアップキー、スキップダウンキー、およびプレイヤキーの無操作状態が所定時間（例えば３秒）続くと、再生候補の楽曲ファイルが文字「C」を含むタグ名を持つ楽曲ファイル（２番目のトラックの「Carolina」、４番目のトラック「Cindy」、５番目のトラック「Clare」)に絞り込まれる（Ｓ２１２）。この状態で、ユーザがスキップアップキーの「短押し」を２回行うと（Ｓ２０３）、操作兼表示部１１２に表示中のタグ名が２番目のトラック「Carolina」から、４番目のトラック「Cindy」をスキップして、５番目のトラック「Clare」に切り替わる（Ｓ２０５）。そして、ユーザによりプレイキーが操作されたならば、オーディオ信号再生装置の各部を制御し、再生対象の楽曲ファイル（タグ名「Clare」）の再生を開始する（Ｓ２１０）。
【００４１】
なお、上述したように、操作兼表示部１１２で点滅させるタグ名中の文字は、スキップアップキーまたはスキップダウンキーの「長押し」の回数によりその位置が変化する。例えば、操作兼表示部１１２にタグ名「Alexander」が表示されている状態で、スキップアップキーの「長押し」を２回行うと、タグ名「Alexander」の２文字目「l」が点滅し、この文字が選択対象の文字となる。このとき、再生候補の楽曲ファイルが、文字「l」を含むタグ名を持つ楽曲ファイル（１番目のトラック「Alexander」、５番目のトラック「Clare」)に絞り込まれる。この状態で、スキップアップキーの「短押し」を１回行うと、操作兼表示部１１２に表示するタグ名が「Alexander」から「Clare」にスキップする。そして、プレイキーが操作されると、タグ名「Clare」を持つ楽曲ファイルの再生が開始される。
【００４２】
ここでは、選択対象の文字がタグ名「Alexander」の２文字目「l」であり、スキップアップキーの「短押し」を１回を行って、選択対象の文字「l」を有するタグ名「Clare」の楽曲ファイルにスキップする場合を例にとり説明した。しかし、当然のことながら、本発明はこれに限定されない。いずれかの文字位置の文字を選択対象の文字とし、この文字を有するタグ名にスキップするようにしてもよい。また、ＣＰＵ１０７のタグ名によるファイル選択は、タグ名の各文字のＡＳＣＩＩコードを用いて、選択対象となる文字のＡＳＣＩＩコードと一致するＡＳＣＩＩコードを有するタグ名を選択すればよい。
【００４３】
なお、光ディスク１０１の１番目のトラックにタグ名「Alexander」の楽曲ファイルが記録され、２番目のトラックにタグ名「Carolina」の楽曲ファイルが記録され、３番目のトラックにタグ名「Bobby」の楽曲ファイルが記録され、４番目のトラックにタグ名「Cindy」の楽曲ファイルが記録され、そして、５番目のトラックにタグ名「Clare」の楽曲ファイルが記録されている場合、従来の技術で説明した通常の選択方法では、スキップアップキーの「短押し」を５回行い、それから、プレイキーを操作することで、タグ名「Clare」の楽曲ファイルの再生を開始することができる。本実施形態の選択方法は、この通常の選択方法と共存可能である。
【００４４】
（実施例２）
実施例１では、タグ名がアルファベットの文字列である場合を例にとり説明したが、本発明はひらがな、カタカナ、漢字のタグ名でも、楽曲ファイルの選択が可能である。この場合、シフトＪＩＳコードを用いて、タグ名を選択できる。
【００４５】
ここで、光ディスク１０１の１番目のトラックにタグ名「ふるさと」の楽曲ファイルが記録され、２番目のトラックにタグ名「とまり木」の楽曲ファイルが記録され、３番目のトラックにタグ名「こころ」の楽曲ファイルが記録され、４番目のトラックにタグ名「木漏れ日」の楽曲ファイルが記録され、そして、５番目のトラックにタグ名「ふじやま」の楽曲ファイルが記録されている場合を例にとり、上記の楽曲ファイル選択処理を具体的に説明する。図４に表示例等を示す。
【００４６】
ＣＰＵ１０７は、操作兼表示部１１２にタグ名「ふるさと」が表示されている状態で、スキップアップキーの「長押し」が１回行われると、タグ名「ふるさと」の１文字目「ふ」を選択して点滅させる。そして、文字「ふ」のシフトＪＩＳコードと同じシフトＪＩＳコードを有するタグ名（「ふるさと」、「ふじやま」）を選択する。この状態で、スキップアップキーの「短押し」が１回行われると、操作兼表示部１１２に表示するタグ名を「ふるさと」から「ふじやま」にスキップする。
【００４７】
（実施例３）
また、図５に漢字のタグ名を用いて選択した場合の表示例等を示す。ＣＰＵ１０７は、操作兼表示部１１２にタグ名「ふるさと」が表示されている状態で、スキップアップキーの「短押し」が１回行われると、操作兼表示部１１２に表示するタグ名を「ふるさと」から「とまり木」にスキップする。次に、ＣＰＵ１０７は、操作兼表示部１１２にタグ名「とまり木」が表示されている状態で、スキップアップキーの「長押し」が４回行われると、タグ名「とまり木」の４文字目「木」を選択して点滅させる。そして、「木」のシフトＪＩＳコードと同じシフトＪＩＳコードを有するタグ名（「とまり木」、「木漏れ日」）を選択する。この状態で、スキップアップキーの「短押し」が１回行われると、操作兼表示部１１２に表示するタグ名を「とまり木」から「木漏れ日」にスキップする。
【００４８】
（実施例４）
アルファベットにおいてはＣＰＵ１０７内での文字表現に使用する文字コードはＡＳＣＩＩであり、文字コードの大小順とアルファベット順が一致しているために、実施例における次の文字の判断（Ｓ２０６）は文字コードの足し算引き算から容易に算出出来る。しかし、漢字においては一般的な文字コードとしてシフトＪＩＳやｕｎｉｃｏｄｅ等が用いられており、その並び方は読みとは直接因果関係がない順序となっている。そのため、スキップキー短押しにおいて次の文字を表示するときに文字コード順で表示すると違和感を感じる事になる。
【００４９】
理想的には読みで並べるのがもっとも違和感が無い方法だが、単語によって同じ漢字でも読み方が変わるため、前後の文字を判断して読みと順序を決定するためにはＣＰＵ１０７での負担が大きくなる。
【００５０】
そこで、常用漢字として発表されている漢字使用の基準を変換テーブルとして用い、これに定められる音訓のうち一番目を漢字の読みとして、この順番を使用する（例えば、亜→ア、哀→アイ、愛→アイ、悪→アク、圧→アツ、…、枠→わく、湾→ワン、腕→ワン）。また、常用漢字に当てはまらない漢字は「その他」としてひとまとめで扱い、その中の順番は文字コード順（例えばシフトＪＩＳ）を使用する。この２つは常用漢字→「その他」の順番とする。
【００５１】
上記をふまえ、漢字を含むタグ検索について説明する。図６に表示例等を示す。
まず、何も選択されていない状態でスキップアップキーを長押しすると、選択処理に入ったことを示すために１文字目が「Ａ」の点滅となる。ここでスキップダウンキーを短押しすると、ＣＰＵ１０７は「Ａ」から始まるタグ名を検索するが、図に示す楽曲リスト中には無い。この例ではスキップダウンを押しているので、文字順の最後である「≡」（シフトＪＩＳで「ＦＣ４Ｂ」）から始まるタグ名を次に検索するが同じく存在しない。順次（「その他」→常用漢字）検索をして「鈴」（常用漢字での読みが「レイ」）が見つかるので、「鈴」から始まり、２文字目の文字順が一番最後（常用漢字での読みが「ボク」）である「鈴木まなつ」を表示する。
【００５２】
この状態で１文字目を確定させるためにスキップアップキーを長押しすると、点滅文字が右側の「木」となり、２文字目の検索に入る。ここでスキップダウンキーを短押しすると、ＣＰＵ１０７は１文字目が「鈴」、２文字目が「≡」から始まるタグ名を検索するがＮｏ．１〜１０の中には無い。順次検索をして「置」（常用漢字での読みが「チ」）が見つかるので、「鈴置」から始まり、３文字目の文字順が一番最後の「鈴置広孝」を表示する。この段階で所望のタグが見つかったので、プレイキーを短押しすることによりファイルの再生が始まる。
【００５３】
以上の実施例に示すように、本実施形態では、タグ名がひらがな、カタカナ、漢字の場合でも、簡単なキー操作によりタグ名を利用した楽曲ファイルの選択が可能である。
【図面の簡単な説明】
【００５４】
【図１】本発明の実施形態であるオーディオ信号再生装置の概略構成図である。
【図２】実施の形態における楽曲ファイル選択処理を説明するためのフロー図である。
【図３】実施例１におけるタグ名を利用した楽曲の選択を説明する図である。
【図４】実施例２におけるタグ名を利用した楽曲の選択を説明する図である。
【図５】実施例３におけるタグ名を利用した楽曲の選択を説明する図である。
【図６】実施例４におけるタグ名を利用した楽曲の選択を説明する図である。
【符号の説明】
【００５５】
１０１：光ディスク、１０２：スピンドルモータ、１０３：ピックアップ部、１０４：ＲＦアンプ、１０５：サーボＤＳＰ部、１０６：モータドライバ、１０７：ＣＰＵ、１０８：再生処理部、１０９：ＤＡＣ、１１０：アンプ、１１１：スピーカ、１１２：操作兼表示部
【図１】
2007287309.tif 000003
【図２】
2007287309.tif 000004
【図３】
2007287309.tif 000005
【図４】
2007287309.tif 000006
【図５】
2007287309.tif 000007
【図６】
2007287309.tif 000008